(57)【要約】【課題】本発明は、方位の測定結果の表示視認性を向上させることを可能とする携帯端末、制御プログラム及び制御方法等を提供することを目的とする。【解決手段】本発明に係る携帯端末は、地磁気センサを有する携帯端末であって、表示画面を有する表示部と、地磁気センサからの出力値に基づいて、表示画面の上部が指す方位角を示す方位情報を、所定の取得時間ごとに算出する方位算出部と、算出した方位情報を記憶する記憶部と、所定の撮影時間ごとに、表示画面の表面から表示画面の裏面の方向を撮影する撮影部と、撮影部が撮影をした時から所定時間前までに算出された方位情報を記憶部から抽出し、抽出した方位情報によって示される方位角の平均方位角を算出する平均方位算出部と、撮影部によって撮影された撮影画像を表示画面に表示し、算出された平均方位角を撮影した情報に重畳させて表示画面に表示する表示処理部と、を有する。【選択図】図１
2019009623.tif 000002
【特許請求の範囲】
【請求項１】
地磁気センサを有する携帯端末であって、
表示画面を有する表示部と、
前記地磁気センサからの出力値に基づいて、前記表示画面の上部が指す方位角を示す方位情報を、所定の取得時間ごとに算出する方位算出部と、
前記算出した方位情報を記憶する記憶部と、
所定の撮影時間ごとに、前記表示画面の表面から前記表示画面の裏面の方向を撮影する撮影部と、
前記撮影部が撮影をした時から所定時間前までに算出された前記方位情報を前記記憶部から抽出し、抽出した前記方位情報によって示される方位角の平均方位角を算出する平均方位算出部と、
前記撮影部によって撮影された撮影画像を前記表示画面に表示し、前記算出された平均方位角を前記撮影した情報に重畳させて前記表示画面に表示する表示処理部と、を有する
ことを特徴とする携帯端末。
【請求項２】
前記携帯端末の現在位置を測定する位置測定部を更に有し、
前記表示処理部は、測定された前記現在位置を前記撮影画像とともに前記表示画面に表示する、請求項１に記載の携帯端末。
【請求項３】
前記表示処理部は、
ユーザからの情報登録指示に従って、前記所定の設備に関する各種情報を入力するための登録画面を表示し、
測定された前記所定の設備に関する各種情報を前記撮影画像とともに前記表示画面に表示する、請求項１又は２に記載の携帯端末。
【請求項４】
前記記憶部は、電子地図情報を更に記憶し、
前記表示処理部は、ユーザからの地図表示指示に従って、前記所定の設備周辺の電子地図情報を表示し、前記算出された平均方位角を前記電子地図情報に重畳させて前記表示画面に表示する、請求項１〜３のいずれか一項に記載の携帯端末。
【請求項５】
全方位の風景を撮影する全方位撮影部を更に備え、
前記全方位撮影部によって撮影されたパノラマ画像を、前記表示画面に表示するとともに、前記算出された平均方位角に基づいて算出された所定方位を示すマーク画像を、前記パノラマ画像に重畳させて前記表示画面に表示する、請求項１〜４のいずれか一項に記載の携帯端末。
【請求項６】
ユーザからの計測結果取得指示に従って、前記表示画面に表示されている撮影画像と平均方位角とを、計測結果情報として取得する計測結果取得部と、
ユーザからの帳票出力指示に従って、前記計測結果情報を少なくとも含む所定の帳票情報を外部装置に送信する測定結果送信部と、を更に有する、請求項１〜５のいずれか一項に記載の携帯端末。
【請求項７】
表示画面を有する表示部と、所定の撮影時間ごとに、前記表示画面の表面から前記表示画面の裏面の方向を撮影する撮影部と、記憶部と、地磁気センサと、プロセッサとを有する携帯端末の制御プログラムであって、前記プロセッサに、
前記地磁気センサからの出力値に基づいて、前記表示画面の上部が指す方位角を示す方位情報を、所定の取得時間ごとに算出し、
前記算出した方位情報を前記記憶部に記憶し、
前記撮影部が撮影をした時から所定時間前までに算出された前記方位情報を前記記憶部から抽出し、抽出した前記方位情報によって示される方位角の平均方位角を算出し、
前記撮影部によって撮影された撮影画像を前記表示画面に表示し、前記算出された平均方位角を前記撮影した情報に重畳させて前記表示画面に表示する、
ことを実行させる制御プログラム。
【請求項８】
表示画面を有する表示部と、所定の撮影時間ごとに、前記表示画面の表面から前記表示画面の裏面の方向を撮影する撮影部と、記憶部と、地磁気センサと、プロセッサとを有する携帯端末の制御方法であって、
前記地磁気センサからの出力値に基づいて、前記表示画面の上部が指す方位角を示す方位情報を、所定の取得時間ごとに算出し、
前記算出した方位情報を前記記憶部に記憶し、
前記撮影部が撮影をした時から所定時間前までに算出された前記方位情報を前記記憶部から抽出し、抽出した前記方位情報によって示される方位角の平均方位角を算出し、
前記撮影部によって撮影された撮影画像を前記表示画面に表示し、前記算出された平均方位角を前記撮影した情報に重畳させて前記表示画面に表示する、
ことを含むことを特徴とする制御方法。
【発明の詳細な説明】
【技術分野】
【０００１】
本発明は、携帯端末、制御プログラム及び制御方法に関する。
【背景技術】
【０００２】
従来から、風景等の写真を撮影する撮影装置を備えた携帯電話機等の携帯端末が知られている。近年の携帯端末は、撮影装置とともに、携帯端末の現在位置を測定する位置測定装置、又は、携帯端末の向きの方位を計測する方位測定装置等を備え、撮影装置によって撮影された写真の画像情報における撮影位置又は撮影方位を表示できる。
【０００３】
例えば、特許文献１には、撮影装置によって撮影された撮影画像を、撮影位置又は方位とともに表示できる携帯電話が記載されている。この携帯電話は、３軸地磁気センサを備え、当該３軸地磁気センサによって検出された基準方位に基づいて算出した子午線及び緯線を、撮影画像上に重畳させて表示することで、方位を迅速且つ容易に確認することができる。
【先行技術文献】
【特許文献】
【０００４】
【特許文献１】特開２０１３−１７９５４４号公報
【発明の概要】
【発明が解決しようとする課題】
【０００５】
最近では、地磁気センサの小型化及び高精度化が進み、ユーザは、携帯端末に搭載された地磁気センサによる精度の高い出力値をリアルタイムで視認できる。このため、地磁気センサを備えた携帯端末は、各種施設工事又は施設維持作業等に使用される方位測定器として利用可能である。
【０００６】
しかしながら、移動体通信事業者によるアンテナ指向方向の確認作業等といった、作業場所が高所となる又は作業時間が長時間となるような作業では、携帯端末を把持する作業者は、手振れ等が生じることがあった。この場合、携帯端末に搭載された磁気センサの測定結果の出力値の変動が大きくなり、そのため、ユーザは測定結果の視認を的確にできなくなるという問題が生じていた。
【０００７】
本発明は、このような従来の課題を解決すべくなされたものであり、方位の測定結果の表示視認性を向上させることを可能とする携帯端末、制御プログラム及び制御方法を提供することを目的とする。
【課題を解決するための手段】
【０００８】
本発明に係る携帯端末は、地磁気センサを有する携帯端末であって、表示画面を有する表示部と、地磁気センサからの出力値に基づいて、表示画面の上部が指す方位角を示す方位情報を、所定の取得時間ごとに算出する方位算出部と、算出した方位情報を記憶する記憶部と、所定の撮影時間ごとに、表示画面の表面から表示画面の裏面の方向を撮影する撮影部と、撮影部が撮影をした時から所定時間前までに算出された方位情報を記憶部から抽出し、抽出した方位情報によって示される方位角の平均方位角を算出する平均方位算出部と、撮影部によって撮影された撮影画像を表示画面に表示し、算出された平均方位角を撮影した情報に重畳させて表示画面に表示する表示処理部と、を有する。
【０００９】
また、本発明に係る携帯端末において、携帯端末の現在位置を測定する位置測定部を更に有し、表示処理部は、測定された現在位置を撮影画像とともに表示画面に表示することが好ましい。
【００１０】
また、本発明に係る携帯端末において、表示処理部は、ユーザからの情報登録指示に従って、所定の設備に関する各種情報を入力するための登録画面を表示し、測定された所定の設備に関する各種情報を撮影画像とともに表示画面に表示することが好ましい。
【００１１】
また、本発明に係る携帯端末において、記憶部は、電子地図情報を更に記憶し、表示処理部は、ユーザからの地図表示指示に従って、所定の設備周辺の電子地図情報を表示し、算出された平均方位角を電子地図情報に重畳させて表示画面に表示することが好ましい。
【００１２】
また、本発明に係る携帯端末において、全方位の風景を撮影する全方位撮影部を更に備え、全方位撮影部によって撮影されたパノラマ画像を、表示画面に表示するとともに、算出された平均方位角に基づいて算出された所定方位を示すマーク画像を、パノラマ画像に重畳させて表示画面に表示することが好ましい。
【００１３】
また、本発明に係る携帯端末において、ユーザからの計測結果取得指示に従って、表示画面に表示されている撮影画像と平均方位角とを、計測結果情報として取得する計測結果取得部と、ユーザからの帳票出力指示に従って、計測結果情報を少なくとも含む所定の帳票情報を外部装置に送信する測定結果送信部と、を更に有することが好ましい。
【００１４】
本発明に係る制御プログラムは、表示画面を有する表示部と、所定の撮影時間ごとに、表示画面の表面から表示画面の裏面の方向を撮影する撮影部と、記憶部と、地磁気センサと、プロセッサとを有する携帯端末の制御プログラムであって、プロセッサに、地磁気センサからの出力値に基づいて、表示画面の上部が指す方位角を示す方位情報を、所定の取得時間ごとに算出し、算出した方位情報を記憶部に記憶し、撮影部が撮影をした時から所定時間前までに算出された方位情報を記憶部から抽出し、抽出した方位情報によって示される方位角の平均方位角を算出し、撮影部によって撮影された撮影画像を表示画面に表示し、算出された平均方位角を撮影した情報に重畳させて表示画面に表示する、ことを実行させる。
【００１５】
本発明に係る制御方法は、表示画面を有する表示部と、所定の撮影時間ごとに、表示画面の表面から表示画面の裏面の方向を撮影する撮影部と、記憶部と、地磁気センサと、プロセッサとを有する携帯端末の制御方法であって、地磁気センサからの出力値に基づいて、表示画面の上部が指す方位角を示す方位情報を、所定の取得時間ごとに算出し、算出した方位情報を記憶部に記憶し、撮影部が撮影をした時から所定時間前までに算出された方位情報を記憶部から抽出し、抽出した方位情報によって示される方位角の平均方位角を算出し、撮影部によって撮影された撮影画像を表示画面に表示し、算出された平均方位角を撮影した情報に重畳させて表示画面に表示する、ことを含む。
【発明の効果】
【００１６】
本発明に係る携帯端末、制御プログラム及び制御方法によって、方位の測定結果の表示視認性を向上させ、作業者の作業を効率化するとともに当該作業の時間を短縮することが可能となる。
【図面の簡単な説明】
【００１７】
【図１】携帯端末１の概要を説明するための模式図である。
【図２】携帯端末１の概略構成の一例を示す図である。
【図３】３軸地磁気センサによる方位角の算出処理の一例を説明するための模式図である。
【図４】３軸地磁気センサによる方位角の算出処理の一例を説明するための模式図である。
【図５】携帯端末１の表示部１４に表示される各画面の一例を示す図である。
【図６】携帯端末１の表示部１４に表示される各画面の一例を示す図である。
【図７】携帯端末１の表示部１４に表示される各画面の一例を示す図である。
【図８】携帯端末１の表示部１４に表示される各画面の一例を示す図である。
【図９】（ａ）は、方位テーブルＴ１のデータ構造の一例を示す図であり、（ｂ）は、測定対象テーブルＴ２のデータ構造の一例を示す図である。
【図１０】方位測定処理の動作フローの一例を示す図である。
【発明を実施するための形態】
【００１８】
以下、図面を参照しつつ、本発明の様々な実施形態について説明する。ただし、本発明の技術的範囲はそれらの実施形態に限定されず、特許請求の範囲に記載された発明とその均等物に及ぶ点に留意されたい。
【００１９】
（第１の実施形態における携帯端末１の概要）
図１は、第１の実施形態における携帯端末１の概要を説明するための模式図である。
【００２０】
本実施形態の携帯端末１は、少なくとも撮影部及び地磁気センサを備える多機能携帯電話（所謂「スマートフォン」）等であり、撮影部によって撮影された撮影画像情報及び地磁気センサによって測定された方位情報を表示することが可能である。
【００２１】
撮影部は、各種情報を表示するための表示画面の表面から当該表示画面の裏面の方向を撮影するデジタルカメラ装置又はビデオカメラ装置等である。例えば、撮影部は、携帯端末１の表示画面を有する筐体における、表示画面の背面に設置され、所定の撮影時間ごとに撮影した画像情報を取得する。なお、取得された画像情報は、取得されるたびに表示画面に表示される。なお、所定の撮影時間は、どのような時間でもよく、例えば、１／６０秒、１／２４秒、１／２０秒等である。以下、所定の撮影時間が１／６０秒である場合を例にして説明する。
【００２２】
また、地磁気センサは、複数の軸方向の地磁気成分を検出するためのセンサであり、各軸の出力値に基づいた撮影方位を所定の方位出力時間ごとに出力する。なお、所定の方位出力時間は、どのような時間でもよく、例えば、１／１００秒、１／６０秒、１／５０秒等である。以下、所定の方位出力時間が１／１００秒である場合を例にして説明する。
【００２３】
以下、図１を参照して、携帯端末１によって実行される方位測定処理の一例の概要について説明する。
【００２４】
まず、携帯端末１は、地磁気センサから所定の方位出力時間（１／１００秒）ごとに出力された出力値が出力されるたびに、出力値に基づいて、携帯端末１の表示画面の上部が指す方位角を示す方位情報を所定の算出時間ごとに算出する。すなわち、携帯端末１は、ユーザが表示画面に正対して当該表示画面を見た場合における表示画面の上方向の方位を示す方位角を算出する。なお、方位角は、水平面上における、真北方向から特定方向までの時計回りの角度等である。なお、所定の算出時間は、どのような時間でもよく、例えば、１秒、１／２秒、２秒等である。以下、所定の算出時間が１秒である場合を例にして説明する。
【００２５】
次に、携帯端末１が有する撮影部は、所定の撮影時間（１／６０秒）ごとに、表示画面の表面から表示画面の裏面の方向を撮影する（図１の（１））。例えば、ユーザは、アンテナ等の所定の設備の向きを調査する調査作業において、所定の設備に付された特定の向きを示す標識（所定長さの線分のマーカ等）を撮影する。なお、特定の向きとは、当該所定の設備における予め設計された設置方向等である。
【００２６】
次に、携帯端末１は、所定の算出時間（１秒）ごとに算出した方位情報を時系列に従って記憶する。次に、携帯端末１は、現在時刻から所定時間前までに記憶された方位情報を抽出し、抽出した全て又は一部の方位情報によって示される方位角の平均方位角を算出する（図１の（２））。このように、現在取得された撮影画像が撮影されたときから所定時間前までに算出された方位角情報に基づいて平均方位角が算出される。なお、所定時間は、どのような時間でもよく、例えば、１０秒、２０秒、３０秒等である。以下、所定時間が１０秒である場合を例にして説明する。
【００２７】
次に、携帯端末１は、撮影部が撮影するたびに撮影部によって撮影された撮影画像を表示画面に表示し、平均方位角が算出されるたびに、算出された平均方位角を撮影情報に重畳させて表示画面に表示する（図１の（３））。このように、携帯端末１は、ＡＲ（Augmented Reality）技術を用いることによって、撮影情報上に平均方位角を重畳させて、作業者に提示することが可能になる。これにより、作業者に携帯端末１の向き（方位）を容易に把握させることが可能になる。
【００２８】
次に、ユーザからの計測結果取得指示に従って、表示画面に表示されている撮影画像と平均方位角とを、計測結果情報として取得する。例えば、計測結果取得指示は、所定の設備の向きを調査する調査作業において、所定の設備に付された特定の向きを示す標識と表示画面の縦方向とが一致したとユーザが判断した場合における、ユーザによる操作に応じた指示である。
【００２９】
上述のとおり、携帯端末１では、作業中のユーザの手振れ等によって、携帯端末１による方位の測定結果として、所定時間内の平均方位が表示されることによって、測定結果の視認性を向上させることが可能になる。
【００３０】
なお、上述した図１の説明は、本発明の内容への理解を深めるための説明にすぎない。本発明は、具体的には、次に説明する各実施形態において実施され、且つ、本発明の原則を実質的に超えずに、さまざまな変形例によって実施されてもよい。このような変形例はすべて、本発明及び本明細書の開示範囲に含まれる。
【００３１】
（携帯端末１）
図２は、携帯端末１の概略構成の一例を示す図である。
【００３２】
携帯端末１は、撮影された撮影画像を表示するとともに、携帯端末１の向きの方位（平均方位角）又は現在位置等を表示する機能を少なくとも有する。そのために、携帯端末１は、通信部１１と、記憶部１２と、操作部１３と、表示部１４と、撮影部１５、方位検出部１６、ＧＰＳ（Global Positioning System）部１７、処理部１８とを備える。
【００３３】
なお、携帯端末１として、多機能携帯電話を想定するが、本発明はこれに限定されるものではない。携帯端末１は、本発明が適用可能であればよく、例えば、携帯電話（所謂「フィーチャーフォン」）や携帯情報端末（Personal Digital Assistant, PDA）、携帯ゲーム機、携帯音楽プレーヤ、タブレット端末、タブレットＰＣ（Personal Computer）、ノートＰＣ等でもよい。
【００３４】
通信部１１は、所定の周波数帯を感受帯域とするアンテナを含む、通信インターフェース回路を備え、携帯端末１をインターネット等のネットワークに接続する。通信部１１は、基地局（図示せず）により割り当てられるチャネルを介して、基地局との間でＣＤＭＡ（Code Division Multiple Access）方式等による無線信号回線を確立し、基地局との間で通信を行う。そして、通信部１１は、処理部１８から供給されたデータをサーバ等の外部装置に送信する。また、通信部１１は、外部装置から受信したデータを処理部１８に供給する。
【００３５】
記憶部１２は、例えば、ＲＯＭ（Read Only Memory）、ＲＡＭ（Random Access Memory）等の半導体メモリ装置を備える。記憶部１２は、処理部１８での処理に用いられるオペレーティングシステムプログラム、ドライバプログラム、アプリケーションプログラム、データ等を記憶する。例えば、記憶部１２は、ドライバプログラムとして、操作部１３を制御する入力デバイスドライバプログラムや、表示部１４を制御する出力デバイスドライバプログラム等を記憶する。また、記憶部１２は、アプリケーションプログラムとして、各種センサからの出力値の取得、画像の表示等を行うプログラム等を記憶する。また、記憶部１２は、データとして、時系列に従った方位情報を含む方位テーブルＴ１及び測定対象テーブルＴ２等を記憶する。また、記憶部１２は、所定の処理に係る一時的なデータを一時的に記憶してもよい。なお、方位テーブルＴ１測定対象テーブルＴ２の詳細は後述する。
【００３６】
操作部１３は、携帯端末１の操作が可能であればどのようなデバイスでもよく、例えば、タッチパネルやキーボタン等である。ユーザは、操作部１３を用いて、文字や数字、記号等を入力することができる。操作部１３は、ユーザにより操作されると、その操作に対応する信号を発生する。そして、発生した信号は、ユーザの指示として、処理部１８に供給される。
【００３７】
表示部１４は、動画像、静止画像等の出力が可能であればどのようなデバイスでもよく、例えば、タッチパネル式の表示装置、液晶ディスプレイ、有機ＥＬ（Electro−Luminescence）ディスプレイ等である。表示部１４は、処理部１８から供給される動画像データに応じた動画像、静止画像データに応じた静止画像等を表示する。
【００３８】
撮影部１５は、結像光学系、撮像素子及び画像処理部等を有する。結像光学系は、例えば光学レンズであり、被写体からの光束を撮像素子の撮像面上に結像させる。撮像素子は、ＣＣＤ（Charge Coupled Device）又はＣＭＯＳ（Complementary Metal Oxide Semiconductor）等であり、撮像面上に結像した被写体像の画像を出力する。画像処理部は、連続して撮像素子によって生成された画像から、所定の撮影時間（１／６０秒）ごとに所定のファイル形式の動画像データを作成して出力する。または、画像処理部は、撮像素子によって生成された画像から所定のファイル形式の静止画像データを作成して出力する。
【００３９】
方位検出部１６は、例えば、３軸地磁気センサであり、３軸方向の地磁気成分を検出し、検出された各軸の地磁気成分の出力値を所定の方位出力時間（１／１００秒）ごとに出力する。
【００４０】
ＧＰＳ部１７は、主に１．５ＧＨｚ帯を感受帯域とするアンテナを含む、ＧＰＳ回路を有し、不図示のＧＰＳ衛星からＧＰＳ信号を受信する。ＧＰＳ部１７は、そのＧＰＳ信号をデコードし、時刻情報等を取得する。次に、ＧＰＳ部１７は、その時刻情報等に基づいてＧＰＳ衛星から携帯端末１までの擬似距離を計算し、その擬似距離を代入して得られる連立方程式を解くことにより、携帯端末１が存在する位置（緯度、経度、高度等）を検出する。そして、ＧＰＳ部１７は、検出した位置を示す位置情報と取得した位置時刻情報とを関連付けて所定のＧＰＳ出力時間ごとに出力する。なお、ＧＰＳ部１７は、位置測定部の一例である。また、所定のＧＰＳ出力時間は、どのような時間でもよく、例えば、１／１０秒、１／５秒、１／２秒等である。以下、所定のＧＰＳ出力時間が１／１０秒である場合を例にして説明する。
【００４１】
処理部１８は、一又は複数個のプロセッサ及びその周辺回路を備える。処理部１８は、携帯端末１の全体的な動作を統括的に制御するものであり、例えば、ＣＰＵ（Central Processing Unit）である。処理部１８は、携帯端末１の各種処理が記憶部１２に記憶されているプログラムや操作部１３の操作等に基づいて適切な手順で実行されるように、通信部１１や表示部１４等の動作を制御する。処理部１８は、記憶部１２に記憶されているプログラム（オペレーティングシステムプログラムやドライバプログラム、アプリケーションプログラム等）に基づいて処理を実行する。また、処理部１８は、複数のプログラム（アプリケーションプログラム等）を並列に実行することができる。
【００４２】
処理部１８は、画像取得部１８１、位置取得部１８２、方位算出部１８３、記憶処理部１８４、表示処理部１８５を有する。処理部１８が有するこれらの各部は、処理部１８が備えるプロセッサで実行されるプログラムにより実現される機能モジュールである。あるいは、処理部１８が有するこれらの各部は、ファームウェアとして携帯端末１に実装されてもよい。
【００４３】
以下、図３〜４を参照して、携帯端末１が、方位検出部１６として３軸地磁気センサを備える場合を例にして、方位角の算出処理について説明する。
【００４４】
方位検出部１６は、Ｘ軸方向の地磁気成分を検出するＸ軸地磁気センサと、Ｙ軸方向の地磁気成分を検出するＸ軸地磁気センサと、Ｚ軸方向の地磁気成分を検出するＸ軸地磁気センサと、を有する。なお、Ｘ軸、Ｙ軸及びＺ軸の３軸は、互いに直交しており、Ｘ軸地磁気センサ、Ｙ軸地磁気センサ及びＺ軸地磁気センサの各地磁気センサは、対応する各軸方向の地磁気成分に対応する出力値を、所定の方位出力時間（１／１００秒）ごとに出力する。なお、Ｘ軸の正方向は、携帯端末１の表示画面１４１の中央上部を指す方向である。
【００４５】
なお、図３（ａ）に示すように、方位検出部１６は、表示部１４の表示画面１４１の縦方向とＸ軸とを一致させ、表示画面１４１の横方向とＹ軸とを一致させ、表示画面１４１と直交する方向とＺ軸とを一致させるように、携帯端末１に設置される。
【００４６】
そして、図３（ｂ）及び図４に示すように、方位算出部１８３は、Ｘ軸方向の地磁気成分、Ｙ軸方向の地磁気成分及びＺ軸方向の地磁気成分に基づいて、Ｘ軸の正方向を水平面に投影した方向に対応する方位角を所定の算出時間ごとに算出する。
【００４７】
なお、撮影部１５は、結像光学系の光軸と方位検出部１６のＺ軸地磁気センサのＺ軸方向とが略平行となるように、携帯端末１に設置されており、これにより、撮影部１５は、表示部１４の表示画面１４１の表面から表示画面１４１の裏面の方向を撮影することが可能になる。
【００４８】
以下、図５を参照して、携帯端末１の表示部１４に表示される各画面の一例について説明する。
【００４９】
図５（ａ）は、携帯端末１の表示部１４に表示されるホーム画面５００の一例を示す図である。
【００５０】
ホーム画面５００には、登録選択指示オブジェクト５０１、撮影指示オブジェクト５０２及び閲覧指示オブジェクト５０３が表示される。なお、ホーム画面５００は、ユーザによる操作部１３の所定のアプリケーション開始操作等によって表示される画面である。
【００５１】
登録選択指示オブジェクト５０１は、例えば、登録選択ボタンであり、ユーザによる操作部１３の操作によって、登録選択指示オブジェクト５０１が指定された場合、後述する登録画面５１０が表示される。登録選択指示オブジェクト５０１の指定は、情報登録指示の一例である。
【００５２】
撮影指示オブジェクト５０２は、例えば、撮影選択ボタンであり、ユーザによる操作部１３の操作によって、撮影指示オブジェクト５０２が指定された場合、後述する撮影対象選択画面６００が表示される。
【００５３】
閲覧指示オブジェクト５０３は、例えば、閲覧選択ボタンであり、ユーザによる操作部１３の操作によって、閲覧指示オブジェクト５０３が指定された場合、後述する閲覧対象選択画面７００が表示される。
【００５４】
図５（ｂ）は、携帯端末１の表示部１４に表示される登録画面５１０の一例を示す図である。
【００５５】
登録画面５１０には、管理項目入力オブジェクト５１１、登録指示オブジェクト５１２、終了指示オブジェクト５１３が表示される。
【００５６】
管理項目入力オブジェクト５１１は、例えば、テキスト入力ボックスであり、ユーザによる操作部１３の操作によって、入力された各管理項目の文字情報が管理項目入力オブジェクト５１１に表示される。
【００５７】
登録指示オブジェクト５１２は、例えば、登録選択ボタンであり、ユーザによる操作部１３の操作によって、登録指示オブジェクト５１２が指定された場合、管理項目入力オブジェクト５１１に表示されている、撮影対象の施設に対する各管理項目の文字情報が、後述する測定対象テーブルＴ２に登録される。
【００５８】
終了指示オブジェクト５１３は、例えば、戻る選択ボタンであり、ユーザによる操作部１３の操作によって、終了指示オブジェクト５１３が指定された場合、登録画面５１０の表示が終了し、ホーム画面５００が表示される。
【００５９】
図６（ａ）は、携帯端末１の表示部１４に表示される撮影対象選択画面６００の一例を示す図である。
【００６０】
撮影対象選択画面６００には、１又は複数の撮影対象選択オブジェクト６０１が表示される。撮影対象選択オブジェクト６０１は、例えば、撮影対象選択ボタンである。また、各撮影対象選択オブジェクト６０１は、測定対象テーブルＴ２に記憶された撮影対象の各施設に対応付けられている。ユーザによる操作部１３の操作によって、撮影対象選択オブジェクト６０１のうちの一つが指定された場合、指定された撮影対象選択オブジェクト６０１に対応する施設の向きを撮影するための撮影画面６１０が表示される。
【００６１】
図６（ｂ）は、携帯端末１の表示部１４に表示される撮影画面６１０の一例を示す図である。
【００６２】
撮影画面６１０には、撮影画像表示領域６１１、平均方位角表示領域６１２、項目表示領域６１３、現在位置表示領域６１４、計測結果取得指示オブジェクト６１５、撮影終了指示オブジェクト６１６が表示される。
【００６３】
撮影画像表示領域６１１は、例えば、画像表示枠であり、撮影部１５によって撮影中の撮影画像がリアルタイムで撮影画像表示領域６１１に表示される。平均方位角表示領域６１２は、例えば、文字表示枠であり、算出された平均方位角がリアルタイムで平均方位角表示領域６１２に表示される。
【００６４】
項目表示領域６１３は、例えば、文字表示枠であり、撮影画面６１０に係る各管理項目の文字情報が項目表示領域６１３に表示される。現在位置表示領域６１４は、例えば、文字表示枠であり、現在位置を示す緯度及び経度の数字情報がリアルタイムで現在位置表示領域６１４に表示される。
【００６５】
計測結果取得指示オブジェクト６１５は、例えば、撮影選択ボタンであり、ユーザによる操作部１３の操作によって、計測結果取得指示オブジェクト６１５が指定された場合、撮影画像表示領域６１１に表示されている撮影画像、平均方位角表示領域６１２に表示されている平均方位角が、計測結果情報として取得される。なお、計測結果情報に、現在位置表示領域６１４に表示されている現在位置を示す緯度及び経度の数字情報が含まれてもよい。
【００６６】
撮影終了指示オブジェクト６１６は、例えば、戻る選択ボタンであり、ユーザによる操作部１３の操作によって、終了指示オブジェクト５１３が指定された場合、撮影画面６１０の表示が終了し、ホーム画面５００が表示される。
【００６７】
図７（ａ）は、携帯端末１の表示部１４に表示される閲覧対象選択画面７００の一例を示す図である。
【００６８】
閲覧対象選択画面７００には、１又は複数の閲覧対象選択オブジェクト７０１が表示される。閲覧対象選択オブジェクト７０１は、例えば、撮影対象選択ボタンである。また、各閲覧対象選択オブジェクト７０１は、計測結果情報が取得された各施設に対応付けられている。ユーザによる操作部１３の操作によって、閲覧対象選択オブジェクト７０１のうちの一つが指定された場合、指定された閲覧対象選択オブジェクト７０１に対応する施設の計測結果情報及び各管理項目を含む閲覧画面７１０が表示される。
【００６９】
図７（ｂ）は、携帯端末１の表示部１４に表示される閲覧画面７１０の一例を示す図である。
【００７０】
閲覧画面７１０には、計測画像表示領域７１１、計測方位角表示領域７１２、計測項目表示領域７１３、計測位置表示領域７１４、出力指示オブジェクト７１５、削除指示オブジェクト７１６、閲覧終了指示オブジェクト７１７が表示される。
【００７１】
計測画像表示領域７１１は、例えば、画像表示枠であり、計測結果情報として取得された撮影画像が撮影画像表示領域６１１に表示される。計測方位角表示領域７１２は、例えば、文字表示枠であり、計測結果情報として取得された平均方位角が計測方位角表示領域７１２に表示される。
【００７２】
計測項目表示領域７１３は、例えば、文字表示枠であり、計測結果情報に係る各管理項目の文字情報が計測項目表示領域７１３に表示される。計測位置表示領域７１４は、例えば、文字表示枠であり、計測結果情報として取得された緯度及び経度の数字情報が計測位置表示領域７１４に表示される。
【００７３】
出力指示オブジェクト７１５は、例えば、メール送信選択ボタンであり、ユーザによる操作部１３の操作によって、出力指示オブジェクト７１５が指定された場合、閲覧画面７１０に表示された計測結果情報を外部装置（サーバ、他の携帯端末１等）に出力する。例えば、外部装置への出力は、メール送信等によって実行される。なお、ユーザによる操作部１３の操作に応じた帳票出力指示に従って、計測結果情報を少なくとも含む所定の帳票情報が外部装置に送信されてもよい。
【００７４】
削除指示オブジェクト７１６は、例えば、情報削除選択ボタンであり、ユーザによる操作部１３の操作によって、削除指示オブジェクト７１６が指定された場合、閲覧画面７１０に係る計測結果情報が、測定対象テーブルＴ２から削除される。
【００７５】
閲覧終了指示オブジェクト７１７は、例えば、戻る選択ボタンであり、ユーザによる操作部１３の操作によって、閲覧終了指示オブジェクト７１７が指定された場合、閲覧画面７１０の表示が終了し、ホーム画面５００が表示される。
【００７６】
なお、施設の向きを撮影するための撮影画面は、図６（ｂ）で示した撮影画面６１０に限らない。図８は、携帯端末１の表示部１４に表示される撮影画面６１００の他の一例を示す図である。なお、図８において、図６（ｂ）に示す撮影画面６１０と同一の構成については同じ符号を付し、その説明を省略する。
【００７７】
撮影画面６１００には、撮影画像表示領域６１１、平均方位角表示領域６１２、計測結果取得指示オブジェクト６１５、撮影終了指示オブジェクト６１６、電子地図表示領域６１０１が表示される。
【００７８】
電子地図表示領域６１０１には、所定の設備周辺又は現在位置周辺の電子地図情報を表示される。この場合、記憶部１２は、例えば、日本全国を複数の矩形領域に分割した場合における各矩形領域に対応する地図情報を記憶する。携帯端末１は、所定の設備の位置又は現在位置を取得して、取得した位置を含む矩形領域に対応する電子地図情報を記憶部１２から取得し、取得した電子地図情報を電子地図表示領域６１０１に表示する。なお、電子地図表示領域６１０１において、平均方位角表示領域６１２に表示された平均方位角、及び／又は、当該平均方位角を示すベクトル画像を、電子地図情報に重畳させて表示してもよい。なお、撮影画面６１００は、ユーザによる操作部１３の操作に応じた地図表示指示に応じて表示されてもよい。
【００７９】
（各種テーブル）
以下、記憶部１２に記憶される各種テーブルについて説明する。図９（ａ）は、方位テーブルＴ１のデータ構造の一例を示す図であり、図９（ｂ）は、測定対象テーブルＴ２のデータ構造の一例を示す図である。なお、記憶部１２に記憶される各種テーブルの全て又は一部は、記憶部１２とは異なる一又は複数の装置によって記憶されてもよい。この場合、携帯端末１は、無線又は有線の通信ネットワークを介して、各種テーブルを記憶する一又は複数の装置と接続し、一又は複数の装置から各種テーブルに含まれる情報を受信し、又は、一又は複数の装置に各種テーブルに記憶する情報を送信する。
【００８０】
図９（ａ）に示す方位テーブルＴ１には、方位算出部１８３によって算出された方位角を、方位角の算出日時又磁気センサによる出力値の出力日時に対応付けて、時系列に従って記憶する。なお、現在日時から記憶時間範囲（例えば、現在日時から１０分以内）に限り、方位角及び日時が方位テーブルＴ１に記憶されてもよい。
【００８１】
図９（ｂ）に示す測定対象テーブルＴ２には、対象ＩＤ（Identifier）、管理番号、施設名、担当者名、撮影画像、方位角、位置等が互いに関連付けて記憶される。対象ＩＤは、作業対象となる施設を一意に識別するための識別情報であり、登録画面５１０によって新たに管理項目（管理番号、施設名、担当者名等）が登録された場合に、当該管理項目に関連付けて新たに付与される。撮影画像、方位角、位置は、撮影画面６１０の計測結果取得指示オブジェクト６１５が選択された場合に取得された計測結果情報である。
【００８２】
（方位測定処理の動作フロー）
図１０は、画像取得部１８１、位置取得部１８２、方位算出部１８３、記憶処理部１８４、表示処理部１８５によって実行される方位測定処理の動作フローの一例を示す図である。
【００８３】
まず、画像取得部１８１は、撮影部１５によって撮影中の撮影画像を取得する（ステップＳ１０１）。すなわち、撮影部１５によって所定の撮影時間（１／６０秒）ごとに撮影された画像情報が出力され、画像取得部１８１は、出力された撮影画像を所定の取得時間ごとに順次取得する。なお、所定の取得時間は、どのような時間でもよく、例えば、１秒、１／２秒、２秒等である。以下、所定の取得時間が１秒である場合を例にして説明する。
【００８４】
次に、位置取得部１８２は、ＧＰＳ部１７から所定のＧＰＳ出力時間（１／１０秒）ごとに出力された位置情報を、所定の取得時間（１秒）ごとに取得する（ステップＳ１０２）。
【００８５】
次に、方位算出部１８３は、方位検出部１６から所定の方位出力時間（１／１００秒）ごとに出力された出力値に基づいて、方位角を所定の算出時間（１秒）ごとに算出し、記憶処理部１８４は、時系列に従って算出された方位角を方位テーブルＴ１に記憶する（ステップＳ１０３）。
【００８６】
次に、方位算出部１８３は、方位テーブルＴ１から、現在時刻から所定時間内に取得された方位角を抽出し、抽出した全て又は一部の方位情報によって示される方位角の平均方位角を所定の算出時間（１秒）ごとに算出する（ステップＳ１０４）。なお、画像取得部１８１及び位置取得部１８２の取得タイミング並びに方位算出部１８３の算出タイミングが同期するように設定されてもよい。なお、平均方位角を算出する方位算出部１８３は、平均方位算出部の一例である。
【００８７】
次に、表示処理部１８５は、取得した撮影画像及び現在位置、並びに算出された平均方位角を、撮影画面６１０の撮影画像表示領域６１１、現在位置表示領域６１４、及び平均方位角表示領域６１２に順次表示する（ステップＳ１０５）。
【００８８】
次に、表示処理部１８５は、ユーザによる操作部１３の操作によって、計測結果取得指示オブジェクト６１５が指定された場合、撮影画像表示領域６１１に表示されている撮影画像、平均方位角表示領域６１２に表示されている平均方位角、現在位置表示領域６１４に表示されている現在位置を、計測結果情報として取得し（ステップＳ１０６）、取得した計測結果を測定対象テーブルＴ２に記憶する。なお、計測結果情報として取得する表示処理部１８５は、計測結果取得部の一例である。
【００８９】
そして、表示処理部１８５は、ユーザによる操作部１３の操作によって、出力指示オブジェクト７１５が指定された場合、閲覧画面７１０に表示された計測結果情報を外部装置（サーバ、他の携帯端末１等）に出力し（ステップＳ１０７）、一連のステップを終了する。なお、ユーザによる操作部１３の操作に応じた帳票出力指示に従って、表示処理部１８５は、計測結果情報を少なくとも含む所定の帳票情報が外部装置に送信してもよい。なお、外部装置に計測結果情報を送信する表示処理部１８５は、測定結果送信部の一例である。
【００９０】
上述のとおり、携帯端末１では、所定時間内に取得された撮影方位の平均方位を、表示画面に表示するように構成したため、携帯端末１を向けた方位の測定結果の表示視認性を向上ことが可能となる。また、移動体通信事業者によって実施される法律上確認が必要なアンテナ指向方向の確認作業では、真北計、カメラ装置及び地図（紙媒体又は電子媒体）の３種類の道具が用いられる。基地局のアンテナは高所に設置されているため、当該確認作業は、真北計の準備や、真北計、カメラ装置及び地図の使用が要求され、高所での危険作業を伴うものであった。携帯端末１は、上述の３種類の道具の機能の全てを包含しているため、これら３種類の道具を使用することなくアンテナの指向方向を撮影することが可能になる。また、この携帯端末１では、撮影した方位（携帯端末１の向きの方位）及び／又は撮影位置（携帯端末１の現在位置）を地図上に自動的にプロットすることが可能になる。これらにより、この携帯端末１は、作業者の高所での作業を軽減することが可能になる。
【００９１】
（変形例１）
なお、本発明は、上述した第１の実施形態及び第２の実施形態に限定されるものではない。例えば、ステップＳ１０６において、表示画面に表示されている撮影画像に対して、予め記憶された所定の施設の標識のパターン画像による画像検索が実行されてもよい。この場合、画像検索によって、撮影画像中に、パターン画像に対応する画像が含まれると判定された場合に限り、計測結果情報が取得されるようにしてもよい。
【００９２】
（変形例２）
また、携帯端末１は、全方位の風景を撮影する全方位撮影カメラ装置を備えてもよい。この場合、ステップＳ１０５において、表示処理部１８５は、全方位撮影部によって撮影されたパノラマ画像を表示画面に表示するとともに、算出された平均方位角に基づいて算出された所定方位を示すマーク画像を、パノラマ画像に重畳させて表示画面に表示する。例えば、全方位撮影カメラ装置が、図３に示すＹ−Ｚ平面上の全方位（３６０度）のパノラマ画像を撮影するように設置された場合、パノラマ画像の所定位置（例えば、画像の左端及び右端）が、図３のＺ軸負方向となるように設定され、パノラマ画像の横方向のピクセル数と平均方位角に基づいて、パノラマ画像上にマーク画像を表示する。
【００９３】
当業者は、本発明の精神及び範囲から外れることなく、様々な変更、置換、及び修正をこれに加えることが可能であることを理解されたい。
【符号の説明】
【００９４】
１    携帯端末
１１    通信部
１２    記憶部
１３    操作部
１４    表示部
１５    撮影部
１６    方位検出部
１７    ＧＰＳ部
１８    処理部
１８１    画像取得部
１８２    位置取得部
１８３    方位算出部
１８４    記憶処理部
１８５    表示処理部
【図１】
2019009623.tif 000003
【図２】
2019009623.tif 000004
【図３】
2019009623.tif 000005
【図４】
2019009623.tif 000006
【図５】
2019009623.tif 000007
【図６】
2019009623.tif 000008
【図７】
2019009623.tif 000009
【図８】
2019009623.tif 000010
【図９】
2019009623.tif 000011
【図１０】
2019009623.tif 000012
【手続補正書】
【提出日】平成30年8月31日(2018.8.31)
【手続補正１】
【補正対象書類名】特許請求の範囲
【補正対象項目名】全文
【補正方法】変更
【補正の内容】
【特許請求の範囲】
【請求項１】
地磁気センサを有する携帯端末であって、
表示画面を有する表示部と、
前記地磁気センサからの出力値に基づいて、前記表示画面の上部が指す方位角を示す方位情報を、所定の取得時間ごとに算出する方位算出部と、
前記算出した方位情報を記憶する記憶部と、
所定の撮影時間ごとに、前記表示画面の表面から前記表示画面の裏面の方向を撮影する撮影部と、
前記撮影部によって撮影された撮影画像に、所定の設備に付された特定の向きを示す標識が含まれる場合に限り、前記撮影部が撮影をした時から所定時間前までに算出された前記方位情報を前記記憶部から抽出し、抽出した前記方位情報によって示される方位角の平均方位角を算出する平均方位算出部と、
前記撮影部によって撮影された撮影画像を前記表示画面に表示し、前記算出された平均方位角を前記撮影した情報に重畳させて前記表示画面に表示する表示処理部と、を有する
ことを特徴とする携帯端末。
【請求項２】
前記携帯端末の現在位置を測定する位置測定部を更に有し、
前記表示処理部は、測定された前記現在位置を前記撮影画像とともに前記表示画面に表示する、請求項１に記載の携帯端末。
【請求項３】
前記表示処理部は、
ユーザからの情報登録指示に従って、前記所定の設備に関する各種情報をユーザが入力するための登録画面を表示し、
測定された前記所定の設備に関する各種情報を前記撮影画像とともに前記表示画面に表示する、請求項１又は２に記載の携帯端末。
【請求項４】
前記記憶部は、電子地図情報を更に記憶し、
前記表示処理部は、ユーザからの地図表示指示に従って、前記所定の設備周辺の電子地図情報を表示し、前記算出された平均方位角を前記電子地図情報に重畳させて前記表示画面に表示する、請求項１〜３のいずれか一項に記載の携帯端末。
【請求項５】
全方位の風景を撮影する全方位撮影部を更に備え、
前記全方位撮影部によって撮影されたパノラマ画像を、前記表示画面に表示するとともに、前記算出された平均方位角に基づいて算出された所定方位を示すマーク画像を、前記パノラマ画像に重畳させて前記表示画面に表示する、請求項１〜４のいずれか一項に記載の携帯端末。
【請求項６】
ユーザからの計測結果取得指示に従って、前記表示画面に表示されている撮影画像と平均方位角とを、計測結果情報として取得する計測結果取得部と、
ユーザからの帳票出力指示に従って、前記計測結果情報を少なくとも含む所定の帳票情報を外部装置に送信する測定結果送信部と、を更に有する、請求項１〜５のいずれか一項に記載の携帯端末。
【請求項７】
表示画面を有する表示部と、所定の撮影時間ごとに、前記表示画面の表面から前記表示画面の裏面の方向を撮影する撮影部と、記憶部と、地磁気センサと、プロセッサとを有する携帯端末の制御プログラムであって、前記プロセッサに、
前記地磁気センサからの出力値に基づいて、前記表示画面の上部が指す方位角を示す方位情報を、所定の取得時間ごとに算出し、
前記算出した方位情報を前記記憶部に記憶し、
前記撮影部によって撮影された撮影画像に、所定の設備に付された特定の向きを示す標識が含まれる場合に限り、前記撮影部が撮影をした時から所定時間前までに算出された前記方位情報を前記記憶部から抽出し、抽出した前記方位情報によって示される方位角の平均方位角を算出し、
前記撮影部によって撮影された撮影画像を前記表示画面に表示し、前記算出された平均方位角を前記撮影した情報に重畳させて前記表示画面に表示する、
ことを実行させる制御プログラム。
【請求項８】
表示画面を有する表示部と、所定の撮影時間ごとに、前記表示画面の表面から前記表示画面の裏面の方向を撮影する撮影部と、記憶部と、地磁気センサと、プロセッサとを有する携帯端末の制御方法であって、
前記地磁気センサからの出力値に基づいて、前記表示画面の上部が指す方位角を示す方位情報を、所定の取得時間ごとに算出し、
前記算出した方位情報を前記記憶部に記憶し、
前記撮影部によって撮影された撮影画像に、所定の設備に付された特定の向きを示す標識が含まれる場合に限り、前記撮影部が撮影をした時から所定時間前までに算出された前記方位情報を前記記憶部から抽出し、抽出した前記方位情報によって示される方位角の平均方位角を算出し、
前記撮影部によって撮影された撮影画像を前記表示画面に表示し、前記算出された平均方位角を前記撮影した情報に重畳させて前記表示画面に表示する、
ことを含むことを特徴とする制御方法。